(57)【要約】【課題】  特に一番茶を早期にかつ多量に収穫できるようにする。【解決手段】  秋整枝前または萌芽前にミミズの糞を１０アール当たり１００〜２００ｋｇ施用する。茶の栽培面積が広い場合には、ペレット状または粒状にして施用する。【選択図】    図１
2005126464.tif 000002
【特許請求の範囲】
【請求項１】
ミミズの糞を茶葉の萌芽前または秋整枝前に土壌に施用することを特徴とする茶の育成方法。
【請求項２】
請求項１において上記ミミズの糞の施用量は、１０アール当たり１００〜２００ｋｇであることを特徴とする茶の育成方法。
【請求項３】
請求項１〜２のいずれかにおいて、上記ミミズの糞はペレット状または粒状のいずれかに成形したものであることを特徴とする茶の育成方法。
【発明の詳細な説明】
【技術分野】
【０００１】
本発明は、特に一番茶を早期にかつ多量に収穫し得る茶の育成方法に関する。
【背景技術】
【０００２】
茶の栽培においては、４月下旬から５月上旬にかけて収穫される、いわゆる初物である一番茶が、茶の収益全体の約８０％を占めており、この一番茶の商品価値は極めて高い。そしてこの一番茶については、摘採及び販売が３日早いと収益が１０〜１５％増加すると言われているように、他者よりいち早く摘採及び販売することが必要とされる。したがって茶栽培における収益を大幅に増大させるためには、一番茶をできるだけ早期にかつ多量に収穫できることが極めて重要になる。
【０００３】
ところで従来からミミズの糞は、経験上土壌を改良する効果等があるとして使用されている。またミミズの糞を肥料として使用することによって、作物の病害の防止や観賞用植物の育成等を促進させる手段も提供されている（例えば、特許文献１及び２）。
【特許文献１】特開２０００−６３８３２号公報（第１〜４頁）
【特許文献２】特開２００１−２２０２７２号公報（第１〜４頁）
【発明の開示】
【発明が解決しようとする課題】
【０００４】
しかるにミミズの糞は、土壌の保水性、保気性、通気性及び水捌け等を改善すると考えられているが、作物の生育を促進する効果については、未だ論理的な解明はなされていない。またどの時期に、どの程度の量を施用すれば、どのような作物に、どのような効果が生じるかについての定量的なデータも見当たらない。またミミズの糞には、肥料の３大要素である窒素、リン酸およびカリウムは、余り含まれていない。したがって、特に窒素成分を多量に施肥する茶の栽培には、ミミズの糞は使用されておらず、施用効果も見出されていない。
【０００５】
そこで本発明の目的は、ミミズの糞を効果的に施用することによって、特に一番茶を早期にかつ多量に収穫し得る茶の育成方法を提供することにある。
【課題を解決するための手段】
【０００６】
本発明による茶の育成方法の特徴は、ミミズの糞を茶葉の萌芽前または秋整枝前に土壌に施用することにある。またこのミミズの糞の施用量は、１０アール当たり１００〜２００ｋｇであることが望ましい。さらにこのミミズの糞は、ペレット状または粒状のいずれかに成形したものであることが望ましい。なお茶の品種は、通常栽培されている全ての品種を含む。
【発明の効果】
【０００７】
すなわち本願発明者は、後述するように多くの茶の育成実験の結果、茶葉の萌芽前または秋整枝前にミミズの糞を土壌改良剤として、１０アール当たり１００ｋｇという極少量だけ施用することによって、茶葉の成長を大幅に促進できることを見出した。したがって特に商品価値の高い一番茶の収穫時期を早め、茶栽培の収益を増加させることができる。またミミズの糞を土壌改良剤として使用する場合には、ペレット状または粒状に成形することによって、施用等における取り扱いや散布が極めて容易になり、特に茶の栽培面積が広い場合には、労働負担を大幅に低減することができる。
【発明を実施するための最良の形態】
【０００８】
ミミズの糞は、茶樹の品種を問わず、茶葉の萌芽前または秋整枝前の時期に、１０アール当たり１００ｋｇ〜２００ｋｇを、茶樹の畦間の土壌の表面処理の際にまたは表面処理の前後に、均一に土壌混和して施用する。ミミズの糞を施用した一番茶の摘採については、生育が早まっているので、収穫時期を充分把握して摘採することが望ましい。また他の肥料散布につては、慣行施肥体系に準じ、茶樹園等の状態に合わせて変更するのが望ましい。なお特に茶の栽培面積が広い場合には、取り扱いや散布を容易にすると共に労働負担を低減するために、ペレット状または粒状に成形したミミズの糞を施用するのが望ましい。ここでミミズの糞のペレット状または粒状のサイズは、それぞれ３ｍｍ程度が望ましい。
【実施例１】
【０００９】
本願発明者は、ミミズの糞の施用試験を全国各地で実施し、茶葉の生育の促進効果を確認した。以下その代表的な確認試験について３例を示す。なおそれぞれ共通する事項は次のとおりである。
(1)  ミミズの糞      ワームゴールド（米国バーミカルチャー社の製品）
(2)  施用量          １００ｋｇ／１０ａ
(3)  施用方法        茶樹の畦間の土壌表面に散布または表面処理前後に土壌混和処                       理
(4)  施用時期        茶樹の萌芽前または秋整枝前
(5)  効果確認方法    それぞれ、通常の施肥だけを行った場合と、さらにミミズの糞                       を施用した場合とを比較した。
この比較は、それぞれの区域のうち任意の数箇所（２０ｃｍ                         Ｘ  ２０ｃｍ）の範囲で一番茶を採取し、成長の割合と収穫量                       とを比べた。
【００１０】
１．試験Ａ
(1)  試験場所        佐賀県藤津郡嬉野町  白川氏茶園
(2)  品種            やぶきた
(3)  施用時期        平成１４年２月
(4)  採取時期        平成１４年４月２５日
(5)  効果
・  図１に示すように、収穫量は、茶葉について１５０％、茎について１３９％          、両者の合計では１４８％の増加が確認できた。
・  図２は、採取した茶葉を、それぞれ丈の大きい順に並べたものである。本図          から明らかなように、茶葉成長の度合いに大きな差があった。
【００１１】
試験Ｂ
(1)  試験場所        福岡県八女郡黒木町  月足氏茶園
(2)  品種            やぶきた
(3)  施用時期        平成１４年２月
(4)  採取時期        平成１４年４月３０日
(5)  効果
・  図３に示すように、収穫量は、茶葉について１６３％、茎について１６０％          、両者の合計では１６３％の増加が確認できた。
・  図４に示すように、成長の度合いに大きな差があった。
【００１２】
試験Ｃ
(1)  試験場所        東京都西多摩郡瑞穂町  森田茶園
(2)  品種            やぶきた
(3)  施用時期        平成１５年３月２０日（茶樹の萌芽３０日前）
(4)  採取時期        平成１５年５月７日
(5)  効果
・  図５に示すように、収穫量は、茶葉について１５１％、茎について１６８％          、両者の合計では１５４％の増加が確認できた。
・  図６に示すように、成長の度合いに大きな差があった。
【実施例２】
【００１３】
二番茶においても収穫量において大きな差があり、本願発明の効果が確認された。以下その実験結果を示す。
(1)  試験場所        鹿児島県日置郡松元町  木藤氏茶園
(2)  品種            明緑
(3)  施用時期        平成１３年３月２７日（茶樹の萌芽約５日前）
(4)  採取時期        平成１３年５月１日
(5)  効果
・  図７に示すように、二番茶の茶葉の収穫量は、一番茶後の園ならし時には
１３５％、二番茶摘採時には１１０％の増加が確認できた。
【実施例３】
【００１４】
ミミズの糞の最適な施用時期について調査した。
具体的には、次の箇所において、それぞれ８月（秋整枝前）と２月（茶葉の萌芽前）とのいずれかの時期に、ミミズの糞を施用した場合の効果を調査した。
(1)  試験場所        佐賀県藤津郡嬉野町  池田氏茶園
(2)  品種            やぶきた
(3)  施用時期        それぞれ平成１４年８月または平成１５年２月
(4)  施用方法        １０アール当たり１００ｋｇのミミズの糞を、茶樹の畦間の土                        壌表層に施用
(5)  採取時期        平成１５年４月２６日
(6)  比較方法        それぞれの試験区画において、一番茶摘採前（約２〜３日前）                       に、２０ｘ２０ｃｍの枠内の新芽を４〜６箇所で採取して、風                       乾し、平均重量を比較した
(7)  効果
・  図８に示すように、ミミズの糞を施用した場合には、いずれも収穫量が向上          したが、施用の時期（秋整枝前：８月／茶葉の萌芽前２月）による相違は、あ          まり認められなかった。
【実施例４】
【００１５】
ミミズの糞の適切な施用量について調査した。
(1)  試験場所        鹿児島県日置郡吹上町  窪田通男氏茶園
(2)  品種            在来種
(3)  施用時期        平成１３年２月１０日
(4)  施用量          １０アール当たり、５０ｋｇ、１００ｋｇおよび２００ｋｇ
(5)  採取時期        平成１３年５月９日（摘採３日前）
(6)  効果
・  図９に示すように、ミミズの糞の施用量は、１０アールあたり、                    １００〜２００ｋｇが適していることが判明した。
【産業上の利用可能性】
【００１６】
特に一番茶の生育を促進させ、茶栽培農家の収益を大幅に増加できるので、茶栽培業に広く適用できる。
【図面の簡単な説明】
【００１７】
【図１】一番茶の収穫量の差を示す数値表である。
【図２】一番茶の成長の差を示す写真である。
【図３】一番茶の収穫量の差を示す他の数値表である。
【図４】一番茶の成長の差を示す他の写真である。
【図５】一番茶の収穫量の差を示す他の数値表である。
【図６】一番茶の成長の差を示す他の写真である。
【図７】二番茶の収穫量の差を示す他の数値表である。
【図８】施用時期による収穫量の相違を示す数値表である。
【図９】施用量の差による収穫量の相違を示す数値表である。
【図１】
2005126464.tif 000003
【図２】
2005126464.tif 000004
【図３】
2005126464.tif 000005
【図４】
2005126464.tif 000006
【図５】
2005126464.tif 000007
【図６】
2005126464.tif 000008
【図７】
2005126464.tif 000009
【図８】
2005126464.tif 000010
【図９】
2005126464.tif 000011